(57)【要約】【課題】  ブロー成形壜体にホットスタンプにより金属性光沢部を付与することにより今までにない独特な加飾効果を有した商品を提供することを目的とする。【解決手段】  胴部の外周面にホットスタン法によりラベル形状に接着貼付した金属箔層で加飾し、さらには金属箔層を保護するクリアコート層に加飾若しくは表示のための印刷をする。【選択図】図１
2005280826.tif 000002
【特許請求の範囲】
【請求項１】
胴部(3)の外周面にホットスタンプ法によりラベル形状に接着貼付した金属箔層(8)で加飾したブロー成形壜体
【請求項２】
金属箔層(8)を保護するクリアコート層(7)に加飾若しくは表示のための印刷をした請求項１記載のブロー成形壜体。
【請求項３】
クリアコート層(7)をウレタン樹脂系あるいはエポキシ樹脂系製とした請求項２記載のブロー成形壜体。
【発明の詳細な説明】
【技術分野】
【０００１】
本発明は胴部の外表面をホットスタンプにより加飾したブロー成形壜体に関する。
【背景技術】
【０００２】
たとえば、特許文献１に記載があるように合成樹脂製成形品の外表面を加飾する手段として、金属性光沢部分を付与して加飾あるいは表示機能を発揮させるホットスタンプ法がある。
【０００３】
このホットスタンプ法は、ポリエチレンテレフタレートフィルム等のベースフィルムに剥離層、保護層、金属性光沢を有する薄膜、および合成樹脂製成形品表面への付着性を有する熱軟化性の接着層を順次に積層して成るホットスタンプフィルムを使用する。そしてホットスタンプフィルムの接着層を成形品表面に接するようにして載置し、マーク形状の版を有する押圧装置で２００℃程度の温度で加熱押圧し、その後剥離層と共にベースフィルムを剥がし取って金属光沢を有するマーク形状を成形品表面に転写する。
【特許文献１】特開平１０−２３６０９０号公報
【０００４】
一方、ブロー成形壜体は食品、飲料品、あるいは化粧料等の収納容器としてさまざまな用途に使用されているが、特に化粧料等の分野では壜体に独創的な加飾を付与することにより、高級感を与える等、他商品との差別化を図ることができる。
【発明の開示】
【発明が解決しようとする課題】
【０００５】
本発明は、ブロー成形壜体にホットスタンプにより金属性光沢部を付与することにより今までにない独特な加飾効果を有した商品を提供することを目的とする。
【課題を解決するための手段】
【０００６】
請求項１記載の発明は、胴部の外周面にホットスタンプ法によりラベル形状に接着貼付した金属箔層で加飾されたブロー成形壜体である。
【０００７】
請求項１記載の上記構成においてラベル状とはある所定の範囲で、ベタ一面で金属箔を接着して加飾することであり、所定の範囲で平坦状、２次曲面状、あるいは３次曲面状等に金属光沢を付与することにより今までにない独特な加飾効果を発揮させることができる。
【０００８】
口筒部を有し、比較的薄肉のブロー成形品ではホットスタンプの際、版の押圧による変形を、壜体内部から支持体で防止することは困難であり、特にベタ一面のラベル形状についてのホットスタンプによる加飾は従来にはなく、極く小さい領域での、基本的には線分の組み合わせにより構成される文字、マーク等の形状での加飾に限定されていた。ここで、本願発明者らは壜体内部を空気等で加圧状態とすること等の手段により、ラベル形状にホットスタンプできることを発見、第１請求項の構成の従来にない加飾効果を有したブロー成形容器の発明に至ったのである。
【０００９】
ここで、ラベル形状の大きさは特に限定されるものではないが、たとえば通常のシャンプー用の壜体等であれば、胴部正面に１０ｍｍ×２０ｍｍ程度の面積でベタ一面で金属光沢を付与すれば今までにない加飾効果を十分に発揮させ得る。
【００１０】
請求項２記載の発明の手段は、請求項１記載の発明において、透明の膜であって、金属箔層を保護するクリアコート層に加飾若しくは表示のための印刷をしたこと、にある。
【００１１】
請求項２記載の上記構成により、ラベル状の金属光沢部分にマーク、模様、図案、文字等を印刷することにより、今までにない、より独創的な装飾となり、外観により差別化されたブロー成形壜体製品を提供することができる。
【００１２】
請求項３記載の発明の手段は、請求項２記載の発明において、クリアコート層をウレタン樹脂系あるいはエポキシ樹脂系製としたこと、にある。
【００１３】
合成樹脂製品へのホットスタンプでは多くの場合、クリアコート層として従来はＵＶ硬化タイプのアクリル樹脂系のものが使用されていたが、スクリーン印刷を施した場合、インクとＵＶ硬化したアクリル樹脂の親和性（相溶性）が良くなく、細かい線が出ない、印刷層の密着強度が低い等の問題があったが、請求項２記載の構成にあるようにクリアコート層を熱乾燥タイプのウレタン樹脂系あるいはエポキシ樹脂系とすることにより、親和性が向上してきれい印刷できると共に、印刷の密着強度も実用的に十分な強度を得ることができる。
【発明の効果】
【００１４】
本発明は上記した構成であり、以下に示す効果を奏する。
請求項１記載の発明にあっては、ラベル形状に金属光沢を付与することにより今までにない加飾効果を有するブロー成形壜体を提供することができる。
【００１５】
請求項２記載の発明にあっては、ラベル状の金属光沢部分にマーク、模様、図案、文字等を印刷することにより今までにない、より独創的な装飾となり、外観により差別化されたブロー壜体製品を提供することができる。
【００１６】
請求項３記載の発明にあっては、クリアコート層をウレタン樹脂系あるいはエポキシ樹脂系とすることにより、親和性が向上してきれいに印刷できると共に、印刷の密着強度も実用的に十分な強度を得ることができる。
【発明を実施するための最良の形態】
【００１７】
以下本発明の実施の形態を図面を参照して説明する。
図１は本発明のブロー成形壜体の一実施例を示す正面図であり、胴部３は平断面が略楕円状であり、口筒部２にキャップを介してポンプを組み付けた状態であり、シャンプー用等の壜体として使用されるものである。
【００１８】
そして、胴部３の前面の略中央部にはホットスタンプ法で加飾されたホットスタンプ部４があり、この金属光沢を有するホットスタンプ部４には、さらに図案化された文字（ＡＢＣ）がスクリーン印刷されている。
【００１９】
図２はホットスタンプに用いたホットスタンプフィルム１０の層構成を縦断面図で示した説明図あって、層構成はベースフィルム５に剥離層６、クリアコート層７、金属箔層８そして接着層９を順次積層したものであり、接着層９を胴部３の外表面に貼着するとともに、剥離層６と共にベースフィルム５を半ば剥がした状態を描いている。
【００２０】
また、図３は図１中のＡ−Ａ線に沿っての、ホットスタンプ部４近傍の断面図であり、クリアコート層７の上にシルク印刷による印刷層１１が形成されている。ここで、クリアコート層７はウレタン樹脂系あるいはエポキシ樹脂系の材料で形成することにより、印刷インクとの親和性が良いので、通常合成樹脂製品のホットスタンプに使用されるアクリル樹脂系に比較して良好な印刷特性であり、印刷層１１のクリアコート層７への密着強度も高い。
【００２１】
ホットスタンプは、版の押付け力による変形がないように、壜体１内を圧空で加圧状態とすると共に、外部からも壜体１胴部３の形状に合せた型治具で壜体１を固定した状態で実施する。ホットスタンプフィルム１０の接着層９を胴部３の外表面に接するようにして載置し、押圧装置で版を加熱押圧して、接着層９を軟化接着し、その後剥離フィルム６と共にベースフィルム５を剥がす。
【００２２】
従来、ブロー成形壜体では変形を抑えることが困難であったので、版は接着の容易な文字、マーク形状等の線分を組み合わせたような型に限定され、そして接着の総面積も極く小さいものに限られたものであり、かなり広い面積に亘ってラベル形状に、すなわちベタ一面状に皺なく接着することは困難であったが、上記のような方法により、ラベル形状にベタ一面状のホットスタンプが実現でき、本発明の従来にない加飾効果が発揮されるブロー成形壜体を提供できるようになった。
【００２３】
なお、本発明による加飾の態様は上記実施例に限定されるものではなく、さまざまな用途、形状のブロー成形壜体に適用される。また、ホットスタンプ部の形状、大きさ、貼付位置も加飾効果を考えて選択できるものである。
【産業上の利用可能性】
【００２４】
以上説明したように、本発明のブロー成形壜体は、ラベル形状にベタ一面状に金属光沢を付与し、さらにはこの金属光沢部分にマーク、模様、図案、文字等を印刷することにより今までにない独創的な加飾効果を発揮して、外観により差別化されたブロー壜体製品を提供することができ、化粧料等の分野でより幅広い用途展開が期待できる。
【図面の簡単な説明】
【００２５】
【図１】本発明のブロー成形壜体の一実施例を示す正面図である。
【図２】図１のブロー成形壜体の加飾に用いるホットスタンプフィルムの層構成を縦断面で示す説明図である。
【図３】図１中のホットスタンプ部の要部拡大縦断面図である。
【符号の説明】
【００２６】
１  ；壜体
２  ；口筒部
３  ；胴部
４  ；ホットスタンプ部
５  ；ベースフィルム
６  ；剥離層
７  ；クリアコート層
８  ；金属箔層
９  ；接着層
１０；ホットスタンプフィルム
１１；印刷層
【図１】
2005280826.tif 000003
【図２】
2005280826.tif 000004
【図３】
2005280826.tif 000005